Podtech/llm-jp-corpus-v4-ja_patent huggingface dataset:
(57)【要約】［課題］従来の物は、蚊を追い込んだり、おびき寄せたりして退治することはできたが、自分で蚊を見つけずらいために、自分で蚊を見つけて退治しずらかったし、蚊を見つけても蚊を見失いやすく、退治しずらかった。そこで、本発明によって飛んでいる蚊を見つけやすくする。［解決手段］蚊の発生させる音域のみを聞き分ける音探知センサーと連動した色のついた光を照射する装置で、飛行する蚊の位置を随時捕捉し、蚊の飛行する場所を人間の視覚的に見えるように色のついた光で指し示しながら蚊をできるだけ長い時間色のついた光で照らし続ける。それによって飛んでいる蚊を見つけて退治しやすく出来たり、飛んでいる蚊を見つけて捕獲しやすく出来るようにする。【選択図】図１
2004154101.tif 000002
【特許請求の範囲】
【請求項１】
蚊の発生させる音域のみを聞き分ける音探知センサー
【請求項２】
請求項１記載の物と連動して飛行する蚊の位置を随時捕捉し、蚊の飛行する場所を人間の視覚的に見えるように色のついた光で指し示しながら蚊をできるだけ長い時間照らし続ける色のついた光を照射する装置
【請求項３】
請求項１記載の物と連動した請求項２記載の物から蚊の飛んでいる方向を分かりやすくするためと、請求項２記載の物の色のついた光をより目立たせるための請求項１記載の物と連動した請求項２記載の物を覆う半円形のカバー
【請求項４】
請求項１記載の物と請求項２記載の物と請求項３記載の物とを組み合わせた蚊探知レーダー
【発明の詳細な説明】
【０００１】
［発明の属する技術分野］
本発明は、蚊の発生させる音域のみを聞き分ける音探知センサーと連動した色のついた光を照射する装置で飛行する蚊を随時捕捉し、蚊の飛行する場所を人間の視覚的に見えるように色のついた光で指し示しながら蚊を出来るだけ長い時間色のついた光で照らし続けることによって飛んでいる蚊を見つけやすく出来るようにする音探知センサーと連動した色のついた光を照射する装置に関する。
【０００２】
［従来の技術］
音探知センサーと連動した色のついた光を照射する装置が蚊の位置を特定するのにつかわれたことはない。
【０００３】
［発明が解決しようとする課題］
従来の物は、蚊を追い込んだり、おびき寄せたりして退治することは出来たが、自分で蚊を見つけずらいために、自分で蚊を見つけて退治しずらかったし、蚊を見つけても蚊を見失いやすく、退治しずらかった。そこで、本発明によって飛んでいる蚊を見つけて退治しやすく出来たり、飛んでいる蚊を見つけて捕獲しやすく出来るようにする。
【０００４】
［課題を解決するための手段］
蚊の発生させる音域のみを聞き分ける音探知センサーと連動した色のついた光を照射する装置で、飛行する蚊を随時捕捉し、蚊の飛行する場所を人間の視覚的に見えるように色のついた光で指し示しながら蚊を出来るだけ長い時間色のついた光で照らし続ける。それによって飛んでいる蚊を見つけて退治しやすく出来たり、飛んでいる蚊を見つけて捕獲しやすく出来るようにする。
【０００５】
［発明の実施の形態］
室内などに本発明を置いて色のついた光が指し示す方向で蚊の飛んでいる位直を調べる。
【０００６】
［実施例］
室内などで蚊を見失った時に本発明で調べる。
【０００７】
室内などで蚊がいるかどうか調べる時に本発明で調べる。
【０００８】
［発明の効果］
本発明を使って調べることによって飛んでいる蚊を早く見つけられる。
【０００９】
蚊を本発明で見つけて、自分で退治した時に蚊の死骸を確認できる。
【図面の簡単な説明】
【図１】本発明の実施形態を示す蚊探知レーダーの断面図
【符号の説明】
１  半円形のカバー
２  色のついた光を照射する装置
３  蚊の発生させる音域のみを聞き分ける音探知センサー
４  蚊
５  色のついた光
【図１】
2004154101.tif 000003
(57)【要約】［課題］より良くてより安いソフトヨーグルト（果肉入りヨーグルト）を適正規模で以て売り出すようにしたい。［解決手段］生の或いはシロップ漬け缶詰のパイナップルを適当な大きさに刻んでヨーグルトに混入した、パイナップルヨーグルト。【選択図】なし。【特許請求の範囲】
【請求項１】
生の或いはシロップ漬け缶詰のパイナップルを適当な大きさに刻んでヨーグルトに混入した、パイナップルヨーグルト。
【発明の詳細な説明】
【０００１】
［発明の属する技術分野］
本発明はヨーグルトに関する発明である。
【０００２】
［従来の技術］
ヨーグルトに蜜柑などの果肉を加えたものをソフトヨーグルトと呼ぶ。このソフトヨーグルトがもう数１０年前から姿を消している。
【０００３】
［発明が解決しようとする課題］
現在日本で蜜柑の缶詰が製造されていないことから解かるように、蜜柑をヨーグルトに混入できるように処理加工することは人件費的に不可能となり、ソフトヨーグルトは廃れてしまったものと思われる。
そこで、混入する果肉の果物を処理加工しやすい然も栽培コストの安いものに代えて、ソフトヨーグルトを復活させたい。
【０００４】
そこで、考え付いたのがパイナップルである。現在日本はフィリピンやタイなどからパイ缶を輸入しているが、これらの国から本発明用に大型缶に詰めたパイナップルを輸入して、それを刻んでヨーグルトに混入するようにすると、市場性のある価格の美味しいソフトヨーグルトが製造販売できると思われる。
パイ缶のパイナップルは熱処理してシロップ漬けにしたものであるから、業務用のこれは簡単な加工で直ぐ混入できるものと思われる。
しかし、中には生のものを輸入してと思う人もあるかも知れないが、何倍にも高いものに付くことは避けられまい。
【０００５】
［発明の実施の形態］
本発明は「特許請求の範囲」に簡潔に述記してある。
【０００６】
［発明の効果］
昨夜もＮＨＫＴＶが昨今ヨーグルトが大いに売れていると報じていた。牛乳より消化がよく甘味を加えて販売できるので、愛好されるのかも判らない。
しかし、気温も大分下がってきて、冬も近くなった。冷たいヨーグルトはどちらかと言うと敬遠されがちになる。
そこで、試しに電子レンジで温めてみると、固まりは解けるが、美味しさは変わりなく、暖かく食べられる。従って、本発明は年中愛好されるものとなろう。
現在のヨーグルトは１００グラム詰めが主流であるようであるが、これを１８０〜２００グラム詰めにして、食べ甲斐のあるものにしたい。
尚、乳酸菌は胃腸管でビタミンＢを必要とする（「現代新百科事典５（３７７頁）」ので、本発明にはビタミンＢを添加するようにしたい。
本発明によって、ヨーグルトに食物繊維が添えられることになり、腸活動に好いとされるヨーグルトが一層腸に好ましいものとなる。たっぷりとパイナップルを混入したいと考えている。
(57)【要約】      （修正有）【課題】反射盤の上面、両側面の３６０度全方位から反射日光を放ち、鳥や蜂は寄り付かない。又果樹の中段、上段の枝に光を当て、色付けができる。【解決手段】多角立方体又は、円形ドーム型の上面中央に穴３を設けた構造で、この表面に反射物４を施し、上面に輪ひも５と吊りひも７を取付けた反射盤である。【選択図】              図１
2004154103.tif 000002
【特許請求の範囲】
【請求項１】
多角立方体〔１〕又は円形ドーム〔２〕の上面中央に、穴〔３〕を設けた構造にし、この表面に反射物〔４〕を施した台盤の上面に、輪ひも〔５〕とここに、スプリング〔６〕を介して吊りひも〔７〕を取付けた反射ボード。
【発明の詳細な説明】
【０００１】
【発明の属する技術分野】
本発明は、農作物や果実の鳥除け及び、果実の色付けについて、地面に敷いた反射シートの光が届かない、中段の枝に吊り下げて果樹に色付けをする、反射ボードに関するものである。
【０００２】
【従来の技術】
従来鳥除けのために、反射作用のあるＣＤ盤や、鳥の姿を型どったものを吊り下げ、或いは果樹や水田に網を張る、反射テープを張る等か行なわれている。又果実の色付けのため果樹の下に反射シートを敷いて、下から反射日光を当てる方法である。
【０００３】
【発明が解決しようとする課題】
鳥除けのために使用するＣＤ盤は、小さな円盤で反射面積が小さく、効果が少ない。又鳥の姿やその他の鳥除け用品も慣れで効果かなくなる。又果樹の下に敷く反射シートは、下枝など低い部分には光は当たるが、中段や高い枝には光は弱く、色付きは少ない。本発明は、この二つの作用効果が働く反射ボードである。
【０００４】
【課題を解決するための手段】
多角立方体〔１〕又は、円形ドーム型〔２〕の上面中央に穴〔３〕を設けた構造である。この表面に反射物〔４〕を施した台盤の上面の穴〔３〕の両脇へ、輪ひも〔５〕とここにブリング〔６〕を介して吊りひも〔７〕を取り付けた反射ボードである。
【０００５】
【発明の実施の形態】
以下、発明の実施の形態について説明する。
〔１〕多角立方体又は〔２〕円形ドーム型の台盤の上面中央に穴〔３〕を設けた構造で、プラスチック性の台盤である。この表面に反射シートを貼付け、又はメッキ塗装を施し、上面の穴〔３〕の両脇へ輪ひも〔５〕にスプリング〔６〕を介して、吊りひも〔７〕を取り付けた反射ボードである。この反射ボードは上方向及び水平方向、更に下方向まで３６０度の全方位に反射し、スプリングによって微風でも前後左右に揺れ、反射日光を効果的に放つ。又果樹の中段の枝に吊ることにより、反射シートの光が届かない箇所光を当て色付けが出来る。
【０００６】
【発明の効果】
反射ボードは、上面及び両側面方向、３６０度全方位に強力に反射し、スプリングによって微風でも揺れ動き巨体の猛きんの姿に見え、鳥や蜂が寄り付かない。。
【０００７】
地面に敷いた反射シートから光が届かない、中段や上部の枝に吊り下げることにより、反射光を当て効果的に色付けができる。
【０００８】
反射ボードの中央に穴〔３〕を設けたことにより、吊り下げの際垂直の竿を穴に通して吊り下げが可能で、設置作業が簡便である。
【図面の簡単な説明】
【図１】多角立方体の斜視図及び断面図
【図２】円形ドームの斜視図
【図３】反射ボードを垂直の竿に吊った状態の斜視図
【符号の説明】
１  多角立方体
２  円形ドーム
３  穴
４  反射物
５  輪ひも
６  スプリング
７  吊りひも
【図１】
2004154103.tif 000003
【図２】
2004154103.tif 000004
【図３】
2004154103.tif 000005
(57)【要約】【課題】一般家庭向けのソフトクリーム、アイスクリームの簡易製造機は材料調達、機器の組立、冷凍等煩雑であり、食したいタイミングにすばやく対応することが困難であり、後始末にも非常に大きな労力と手間を必要としていた。【解決手段】ソフトクリーム、アイスクリームをプラスチック製等の袋体容器に充填、冷凍し、適温まで電子レンジ等で解凍軟化させた後、手動ハンドルを回転させることにより袋体容器内のソフトクリーム、アイスクリームを抽出可能とした。【選択図】図１
2004154102.tif 000002
【特許請求の範囲】
【請求項１】
袋体容器に充填された冷菓を半解凍し抽出台に水平に固定すると共に、袋体容器の抽出口より遠い部位より回転ローラの移動により袋体容器内の冷菓を抽出することを特徴とした簡易冷菓抽出装置。
【請求項２】
抽出回転ローラに平歯車を固定し抽出台に平歯車と噛み合わせるラックを設け回転ローラを直接又は間接的に回転させることにより回転ローラを移動せしめることを特徴とした簡易冷菓抽出装置。
【発明の詳細な説明】
【０００１】
【発明の属する技術分野】
本発明は、冷凍されたソフトクリーム、アイスクリーム等の冷菓を抽出する家庭用簡易冷菓抽出装置に関する。
【０００２】
【従来の技術】
従来、家庭用として提供されているソフトクリーム、アイスクリーム等、冷菓を袋体容器より抽出する装置は前例が無く、冷凍した容器の中に冷菓となる牛乳、タマゴ、砂糖等の材料を混合、手動攪拌し１５〜２０分後に容器から取り出す方式が主である。
【０００３】
【発明が解決しようとする課題】
ソフトクリーム、アイスクリーム等の冷菓を家庭で作る際の煩雑な前工程や労力及び後始末等を簡便化し、少なくとも数分以内に冷菓を食することを可能とする。
【０００４】
【課題を解決するための手段】
本発明における簡易冷菓抽出装置は、所定の袋体容器にソフトクリーム、アイスクリーム等が充填、冷凍されたパックを使用する。冷凍された袋体容器を電子レンジ等で−２０℃以下より−５℃〜−１０℃前後に解凍する。解凍軟化したパックを本発明の抽出装置の抽出台にセットし、抽出回転ローラを手動にて回転させ抽出する方式とした。
【０００５】
【発明の実施の形態】
以下、本発明の実施例を図面に基づいて記述する。図１は実施例の側面図を示し、図２は正面透視図、図３に袋体容器を示す。
【０００６】
本発明の装置構成は図１に示す如くベース台座１、支柱２、抽出台ユニット３、及び抽出回転ローラユニット４により構成されている。抽出台ユニット３には、抽出台６が設けられている。抽出口７には清掃を容易に行うための取り外し可能な抽出筒８が取り付けられている。更に、抽出台６の抽出口７の遠い部位に袋体容器１５の抽出台６に対する位置を決めるパイロットピン９を具備している。
【０００７】
一方、抽出回転ローラユニット４には回転ローラ１０と、両端に歯車１１を固定した抽出回転ローラ軸１２と、歯車１１と連結して歯車１３を両端に具備した駆動軸１４を具備している。歯車１１と歯車１３はガイド板２２にて軸間距離を保持すると同時にガイド板１５がユニット台１６のガイド面１７に沿って移動するため、抽出回転ローラ軸１２と駆動軸１４自体の回転を防止している。駆動軸１４は回転ハンドル１８が着脱可能な長さまでガイド板２２より突出している。
【０００８】
図４に抽出回転ローラユニット４の開状態を示す。開状態とするためには、ロックファスナー１９のレバーのロックを解除すると、抽出台ユニット３の回転支点２０を中心に矢印Ｂ方向に抽出回転ローラユニット４が回転し抽出台６が開放される。図３に示す袋体容器１５のパイロットピン穴２３を抽出台６のパイロットピン９に差し込む。
【０００９】
抽出台６に袋体容器１５がセットされると、開状態になっている回転ローラユニット４を、図４に示す矢印Ａ方向に回転させロックファスナー１９のレバーを操作し抽出台６に固定ロックする。回転ハンドル１８を時計方向に回転させると歯車１１はラック５に沿って抽出口７へ向って回転しながら進み、同時に袋体容器１５に充填され適温に解凍されて図３に示す冷菓２１を抽出口７に向って絞り出す。図５に抽出動作の過程を示す。
【発明の効果】
以上、実施例から明らかなように、本発明の簡易冷菓抽出装置は、従来、最も煩雑だった材料調達、一部機器の冷凍及び長時間の攪拌作業等を皆無にした。
【図面の簡単な説明】
【図１】実施例側面図
【図２】実施例正面透視図
【図３】袋体容器
【図４】抽出回転ローラユニットの開状態図
【図５】抽出過程図
【符号の説明】
（１）    ベース台座
（２）    支柱
（３）    抽出台ユニット
（４）    抽出回転ローラユニット
（５）    ラック
（６）    抽出台
（７）    抽出口
（８）    抽出筒
（９）    パイロットピン
（１０）  回転ローラ
（１１）  歯車
（１２）  抽出回転ローラ軸
（１３）  歯車
（１４）  駆動軸
（１５）  袋体容器
（１６）  ユニット台
（１７）  ガイド面
（１８）  回転ハンドル
（１９）  ロックファスナー
（２０）  回転支点
（２１）  冷菓
（２２）  ガイド板
（２３）  パイロットピン穴
【図１】
2004154102.tif 000003
【図２】
2004154102.tif 000004
【図３】
2004154102.tif 000005
【図４】
2004154102.tif 000006
【図５】
2004154102.tif 000007
(57)【要約】【課題】機械本体に茶袋を取付ける時、数ヶ所の引っ掛け金具及び取付け枠に、確実に引っ掛けなければ外れてしまうことがある。また、茶袋を外すときは、引っ掛けてある数ヶ所の引っ掛け金具及び取付け枠を外さなければ取り外すことが出来ないという課題があった。【解決手段】本発明では、茶畝を跨いだ門型枠の機体を茶畝に沿って走行しながら茶葉の摘採を行なう走行型茶葉摘採機において、摘採した茶葉を茶袋へ誘導する誘導フードに、茶袋を取付けるためのスプリングフックを設けるという手段をとる。【選択図】        図１
2004154039.tif 000002
【特許請求の範囲】
【請求項１】
茶畝を跨いだ門型枠の機体を茶畝に沿って走行しながら茶葉の摘採を行なう走行型茶葉摘採機において、摘採した茶葉を茶袋へ誘導する誘導フードに、茶袋を取付けるためのスプリングフックを設けることを特徴とする走行型茶葉摘採機の茶袋脱着装置。
【発明の詳細な説明】
【０００１】
【産業上の利用分野】
本発明は、茶畝に沿って走行しながら茶葉を摘採する走行型茶葉摘採機において、摘採した茶葉を収容する茶袋の脱着装置に関するものである。
【０００２】
【従来の技術】
従来の技術は、茶袋を引っ掛け金具や取付け枠等の固定されたものが数ヶ所装備されており、その金具及び取付け枠に茶袋を引っ掛けるという方法である。
【０００３】
【発明が解決しようとする課題】
従来の方法では、機械本体に茶袋を取付ける時、数ヶ所の引っ掛け金具及び取付け枠に、確実に引っ掛けなければ外れてしまうことがある。また、茶袋を外すときは、引っ掛けてある数ヶ所の引っ掛け金具及び取付け枠を外さなければ取り外すことが出来ないという課題があった。
【０００４】
【課題を解決するための手段】
本発明では、茶畝を跨いだ門型枠の機体を茶畝に沿って走行しながら茶葉の摘採を行なう走行型茶葉摘採機において、摘採した茶葉を茶袋へ誘導する誘導フードに、茶袋を取付けるためのスプリングフックを設けるという手段をとる。
【０００５】
【発明の実施の形態】
本実施例について、図１、２を参照して説明する。１、２はクローラによる走行装置であり、茶畝３を挟んでその両側の畝間を走行する。左右の走行装置１、２は門型枠４でつながっている。門型枠４の下方には、バリカン型の刈刃５を取付けた摘採装置が設置してある。門型枠４上には送風ファン６が設けてあり、刈刃５の前方に設けた送風管７とフレキシブルホース８でつながれている。送風ファン６の風は送風管７に付いている多数の吹出枝管９から刈刃５上へ吹き付けられる。摘採装置の後方は茶葉の誘導フード１１となっている。この誘導フード１１には、茶袋を取付るためのスプリングフック１３が設けてあり、茶袋１０を開口して取付ける。この後方には茶袋保持板１２が設けてあり、摘採した茶葉を収容した茶袋１０を保持する。
【０００６】
摘採時について説明する。まず、茶袋１０を誘導フード１１に取付けられたスプリングフック１３に茶袋１０を取付ける。スプリングフック１３は自在に曲がるので、茶袋１０を容易に取付けることが出来る。また、茶袋１０の開口はゴムが通っており、スプリングフック１３に引っ掛けた状態で固定し、少しの力（走行時の風圧）では外れなくなる。茶袋１０を取付けた走行型茶葉摘採機は、茶畝３を挟んで走行装置１、２により畝間を走行しながら、刈刃５で茶葉を刈り取る。送風ファン６で発生し、吹出枝管９を通った風によって、刈り取られた茶葉を後方に飛ばし、誘導フード１１を通過して、茶袋１０に収容する。茶袋１０が茶葉でいっぱいになったところで、茶袋１０を後へ引っ張ると、スプリングフック１３が湾曲し、茶葉の重量と引っ張る力により容易に茶袋１０がスプリングフック１３から外れる。
【０００７】
茶袋１０を引っ掛けるフックは誘導フード１１には数ヶ所あるが、全てスプリングフック１３にする場合と、一部をスプリングフック１３にする場合がある。
【０００８】
【発明の効果】
本発明の装置により、茶袋の取付け時、取外し時には、茶袋が引っ掛かる部分が自在に動く為、簡単な装置で、作業を容易に行なうことができる。
【図面の簡単な説明】
【図１】走行型茶葉摘採機の平面図。
【図２】茶袋取付け部分の詳細図。
【符号の説明】
１  走行装置
２  走行装置
３  茶畝
４  門型枠
５  刈刃
６  送風ファン
７  送風管
８  フレキシブルホース
９  吹出枝管
１０  茶袋
１１  誘導フード
１２  茶袋受板
１３  スプリングフック
１４  作業者
【図１】
2004154039.tif 000003
【図２】
2004154039.tif 000004
(57)【要約】【課題】もやし育成のために行う撒水において、掛け水の温度の調節に加えて、育成過程に対応した必要かつ十分な量の撒水を行うことにより良質なもやしが生産でき、さらに水資源の節約と省エネルギーを計る。【解決手段】もやしコントローラに生育過程に対応した撒水機速度を予め設定し、生育過程に応じた撒水機速度を出力する。撒水実行中にその掛け水の温度と、もやし容器下部の温度との比較を行い、次回の撒水における撒水機の走行速度の設定値を修正する。【選択図】        図１
2004154094.tif 000002
【特許請求の範囲】
【請求項１】
もやし栽培工程における経過時間に対応して、撒水量を調整する撒水方式。
【請求項２】
もやし栽培工程において、掛け水の温度及びもやしの温度を測定し、両者を比較することにより、
撒水量の過不足を判定し、撒水量を調整する撒水方式。
【発明の詳細な説明】
【０００１】
【発明が属する技術分野】
本発明は、もやし栽培において、品質を制御するための計測、自動制御技術の分野に属する。
もやしに要求される高品質を確保しつつ、省資源と省エネルギーのため最も重要な使用資源である撒水の量を必要にして最小限にとどめる
撒水方法である。
【０００２】
【従来の技術】
一般的なもやしの栽培方法は、リョクトウ、ダイズ、ケツルアズキ等の原料を洗浄、塩素系殺菌料を用いた殺菌浸種終了後に栽培容器に積み重ね、一定温度に保った栽培室に置き、これに定期的に撒水しながら約８日間かけて栽培収穫する。
撒水は栽培工程において最も重要な操作であり、古くは作業者が人手で水をかけていたが、近年では自動撒水機が多く使用されている。自動撒水機には栽培容器の上を走行しながら撒水していく撒水方式や天井に設置された給水パンの撒水孔からいっせいに撒水する撒水機方式がある。また、撒水の開始を知らせるために、もやしが生育過程で発熱するのを利用してもやしの温度を計測し、所定温度に達したら撒水を開始する方式と、周期タイマを使用して、予め設定したタイミングで撒水を開始する方法がある。
もやしの発熱量は、約８日間の栽培過程で時間と共に大きく変動する。栽培開始直後から２日間は発熱量が多く、収穫が近づくにつれ発熱量は減少する。撒水は、もやしに対して給水するための他に、この発熱による温度上昇を下げる効果が期待される。もやしの過度の温度上昇はもやしを傷め、菌やカビの増殖による腐敗を招く重大な問題となる。しかし、過度の撒水や低温撒水によるもやし温度の過度の低下は、もやしそのものの生育障害を引き起こす。そのため従来、撒水に使用される掛け水の温度と撒水頻度を調節し撒水を行っている。
この方法では次のような問題がある。
（１）もやしの冷却のための掛け水の水温には下限があり、生育後半期にもやしの量が増加した場合には、栽培容器下層部分において冷却不足がおこり下層部分の温度が上昇し腐敗することになる。
（２）生育前半期には、種子状態あるいは発芽したての状態のもやしは発熱量が多く温度上昇は早いが、少量の撒水で温度は降下するにもかかわらず、多量の撒水をするため掛け水の無駄が大きい。また、所定の水温を得るため水温調節のためのエネルギーの無駄も大きい。
【０００３】
【発明が解決しようとする課題】
従来行われている撒水掛け水温度の制御と撒水タイミングの制御に加えて、もやし生育過程に応じて、撒水の掛け水水量を適切に調節し、もやしの温度の適正化を計り、かつ省資源、省エネルギー化を計ろうとするものである。
【０００４】
【課題を解決するための手段】
撒水を行う撒水機は、撒水タンクに貯蔵されている温度調整された掛け水を撒水ポンプに供給し、栽培容器の上部をゆっくりと走行中に、パイプに設けられた多数のスリットから、水を放出させながら撒水を行う。
撒水の水量の調整は、次のいずれかで行うことができる。
（１）撒水機の走行速度の増減により行う。
（２）給水ポンプの回転速度の増減により行う。
（３）給水ポンプと最終放出孔までの配管途中に調節弁を設け、掛け水の流量を増減させて行う。
（１）が最も容易で最適である。その理由は、撒水機から放水される水は、容器内に積み重なって生育しているもやしの内部にまで行きわたらせるため、適当な流速と均一性が要求される。走行速度を増減させてもこの撒水機の性能にほとんど影響を与えないからである。
撒水機に対する走行速度指令は、もやし栽培室の室温・湿度・炭酸ガス濃度・エチレンガス濃度等諸条件を制御するコントローラから出力される。
【０００５】
【発明の実施の形態】
次に、本発明を１日分の出荷分を、１室で生産する個室タイプの栽培室で行った実施形態について、図面に沿って説明する。［図１］は約８日間をかけて１日分の出荷量を行う個室方式の撒水システムである。
撒水ノズルをもつパイプが走行車輪から懸架され走行レール上を走行する。これに撒水ポンプから掛け水を供給することにより、栽培容器の上部から撒水が行われる。
［図２］は栽培開始当初の栽培容器内における原料豆の状態と、収穫時期に近い栽培容器内におけるもやしの状態とを質量の点から比較したものである。両者は体積において約１０倍となる。
（ａ）における必要撒水量と（ｂ）におけるそれは明らかに異なる。
（ａ）においては走行モータのスピードを速め撒水量を減じ、（ｂ）においては走行モータのスピードを遅くし、撒水量を多くすることができる。
一方、（ｂ）において撒水量がもやしの温度を下げる上で十分か不十分かの判定は掛け水の温度ともやしの温度の比較において行うことができる。不十分であれば、掛け水の元の温度と、栽培容器下部のもやしの温度との関係は
元の掛け水温度    ＜    容器下部のもやしの温度
となる。
十分であれば
元の掛け水温度    ≒    容器下部のもやし温度
となる。
前回の撒水におけるこの比較の結果に基づき、今回の撒水量を増減調節することにより撒水量は適正化される。
【０００６】
【発明の効果】
このようにすれば、撒水に用いる掛け水量の節水を計り、かつ撒水不足によるもやしの温度上昇を防ぎ、もやし品質の劣化を防ぐことができる。
【図面の簡単な説明】
【図１】もやし栽培用撒水機システムである。
【図２】もやし栽培過程におけるもやし体積の推移である。
【符号の説明】
１    撒水ポンプ
２    撒水ノズル
３    走行モータと車輪
４    撒水機走行レール
５    掛け水供給撒水ポンプ
６    撒水ホース
７    もやし栽培容器
８    もやし温度センサ
９    掛け水槽
１０  水温センサ
１１  走行モータ速度制御インバータ
１２  もやし栽培コントローラ
１３  撒水
１４  もやし
１５  原料豆
１６  個室式栽培室
【図１】
2004154094.tif 000003
【図２】
2004154094.tif 000004
(57)【要約】【課題】本発明は優れた食感を有し、かつ保型性のよい可食性容器を提供することを目的とする。【解決手段】湿熱処理された固形状のポテトを器状に成型し、加熱処理を施されてなる可食性容器。【選択図】  なし【特許請求の範囲】
【請求項１】
湿熱処理された固形状のポテトを器状に成型し、加熱処理を施されてなる、可食性容器。
【請求項２】
湿熱処理された固形状のポテトを器状に成型した後、表面にバッターを付け次いで油ちょう処理することを特徴とする可食性容器の製造法。
【発明の詳細な説明】
【０００１】
【発明の属する技術分野】
本発明は、具材、ソース等を詰めるために用いられる可食性容器に関する。
【０００２】
【従来の技術】
従来、可食性容器としては、最中の皮、ソフトクリームのコーンカップ等が知られている。
しかしながら、これらの可食性容器は湿気に弱いために水分の多い食品を入れると、水分を吸収して可食性容器が崩れてしまう欠点があった。
従って、水分の多い食品を入れる容器としてはプラスチック、紙、アルミ箔等を用いたものがもっぱら使用されていた。しかしながら、これらの包材は使用後廃棄処分しなければならず、近年の産業廃棄物の発生を抑制するという観点からすれば好ましいものではなかった。
【０００３】
一方、本発明者等は、マッシュポテトを用いて可食性容器を調製することを試みた。しかしながら、マッシュポテトより調製した可食性容器は、物性的に脆く、砕けやすいという欠点がある。また、この可食性容器は、電子レンジで加熱すると、ぼそぼそしたり、引きのある食感となるものしか得られなかった。
【０００４】
【発明が解決しようとする課題】
そこで本発明者等は、可食性容器が物性的にしっかりしていて、脆くなく電子レンジ加熱しても、引きがなくサクッとした食感を有し、かつ水分の多い食品を充填しても型崩れのない可食性容器を得るために種々研究を重ねた結果、本発明を完成するに至った。
【０００５】
【課題を解決するための手段】
すなわち、本発明は湿熱処理された固形状のポテトを器状に成型し、加熱処理を施されてなる可食性容器およびその製造法である。
【０００６】
【発明の実施の形態】
本発明の可食性容器は、まず湿熱処理された固形状のポテトを、器型の型枠に充填し、加圧等の手段により成型する。
可食性容器の原料である湿熱処理された固形状のポテトは、生のポテトを適宜の大きさおよび形状にカットした後、湿熱処理するか、あるいは湿熱処理したポテトを適宜の大きさおよび形状にカットしたり、湿熱処理したポテトを固形状物が残る状態に潰す等することにより得ることができる。固形状のポテトの大きさは３〜２０ｍｍ程度が好ましい。
また湿熱処理された固形状ポテト以外に必要によりマッシュポテト、小麦粉、澱粉、パン粉、卵、食塩・胡椒その他の調味料、みじん切り状のタマネギ、ニンジン等の野菜類を適宜混合することができる。この場合湿熱処理された固形状ポテトは５０重量％以上含有することが好ましい。この含有量が５０重量％未満になると可食性容器の冷凍耐性、レンジ耐性、成型性、食感等が劣化するようになる。
湿熱処理手段としては、茹でたり、蒸気で蒸したりする等の方法が採用できる。
【０００７】
成型された容器の器壁の肉厚は、５〜１０ｍｍであることが好ましい。この肉厚が５ｍｍ未満であると物性的にしっかりしておらず、脆いために成型段階においてロスが多く発生し、一方肉厚が１０ｍｍを超えると、チルドあるいは冷凍保存した後に電子レンジで加熱するとぼそぼそし、引きのある食感となる。
【０００８】
成型された容器は、その表面にバッターを付けた後油ちょうする。バッターを容器表面に付ける方法としてはバッター中に成型された容器を浸す方法、バッターを噴霧状にして成型された容器表面に付着させる方法等により行うことができる。
【０００９】
また本発明方法は、バッター付けの前に、成型された容器を例えばオーブン等で加熱して乾燥することが好ましい。乾燥するための加熱温度は１４０〜１８０℃、特に１４５〜１７０℃の範囲が好ましい。なお製品の食感をよりサクッとしたものにするためには乾燥の途中で一旦蒸気にさらし、その後再び乾燥させると効果がある。
【００１０】
バッター付けされた容器は次に油ちょう処理し、冷却することによって可食性容器を得ることができる。
【００１１】
【実施例】
次に本発明をさらに具体的に説明するために、実施例を掲げるが、本発明は以下の実施例のみに限定されるものではない。
【００１２】
実施例１〜９、比較例１
短冊状にカットした蒸しポテトとマッシュポテトとを表１に示した配合割合で混合して生地を調製した。この生地９９．５重量部と食塩０．５重量部を混捏して成型生地を調製し、カップ型容器に成型した。成型されたカップ型容器は１８０℃のオーブンで５分間加熱した。
薄力粉９８．５重量部、膨脹剤１．５重量部および水１７０重量部からなるバッターに、成型された容器を浸した後１５０℃で１分間油ちょうして可食性容器を調製した。
得られた可食性容器を凍結させた後、電子レンジで加熱し、物性および食感を表２に示す評価基準によって評価した。
その評価結果を示せば表１のとおりである。
【００１３】
実施例１０
短冊状にカットした蒸しポテトとマッシュポテトとを表１に示した配合割合で混合して生地を調製した。この生地９９．５重量部と食塩０．５重量部とを混捏して成型生地を調製し、カップ型容器に成型した。成型した容器を１６０℃で２．５分乾燥させ、一旦飽和水蒸気に２分間晒した後、更に１５０℃で１０分間乾燥させた。
薄力粉９８．５重量部、膨脹剤１．５重量部および水１７０重量部からなるバッターに、成型された容器を浸した後、１５０℃で１分間油ちょうして可食性容器を調製した。
得られた可食性容器を凍結させた後、電子レンジで加熱し、物性および食感を表２に示す評価基準によって評価した。評価結果を表１に示す。
【００１４】
【表１】
2004154085.tif 000002
【００１５】
【表２】
2004154085.tif 000003
【００１６】
【発明の効果】
本発明の可食性容器は、物性的にしっかりしていて脆くなく、電子レンジ加熱しても引きがなくサクッとした食感を有し、かつ水分の多い食品を充填しても型崩れがない等の種々の利点を有する。
(57)【要約】【課題】田圃などで円柱形に結束されたワラ体を牛の飼料に適した長さ裁断するワラ体の裁断装置を提供すること。【解決手段】ワラ体１０を搬送するコンベア２と、コンベア２により搬送されるワラ体１０を３方向から半径方向に裁断して複数個に分割する少なくとも３枚の回転刃３〜５を備える。またコンベア２により搬送されるワラ体１０が通過するトンネル部１ｂを設け、トンネル部１ｂに回転刃３〜５を設ける。ワラ体１０は牛が食べやすい長さに裁断されているので、酪農農家はそのまま牛の飼料に供することができる。また裁断されたワラ体１０を既存の結束装置により、トラックなどの運搬車に密に積載しやすい四角柱形に結束することにより、運搬効率を改善できる。【選択図】        図１
2004154020.tif 000002
【特許請求の範囲】
【請求項１】
ワラをらせん状に束ねて結束したワラ体の裁断装置であって、ワラ体を搬送するコンベアと、コンベアにより搬送されるワラ体を半径方向に裁断して複数個に分割する複数個のカッターとを備えたことを特徴とするワラ体の裁断装置。
【請求項２】
前記コンベアにより搬送されるワラ体が通過するトンネル部があり、このトンネル部に前記複数個のカッターを設けたことを特徴とする請求項１記載のワラ体の裁断装置。
【発明の詳細な説明】
【０００１】
【発明の属する技術分野】
本発明は、牛の飼料に供されるワラ体の裁断装置に関するものである。
【０００２】
【従来の技術】
田圃に生成する稲作のワラは、牛の飼料に供される。ワラは、田圃等において、縄などにより結束されて円柱形のワラ体となり、これをトラックなどの運搬車に積載し、酪農農家へ運搬していた。そして各酪農農家は円柱形のワラ体をナタなどにより牛が食しやすい長さに裁断し、牛の飼料に供していた。
【０００３】
【発明が解決しようとする課題】
しかしながら従来は、上記のようにワラ体は円柱形であるため、運搬車に密に積載できず、運搬効率が悪かった。また各酪農農家は、ナタなどにより手作業でワラ体を裁断せねばならなかったので、酪農農家の労働負担はきわめて大きいものであった。
【０００４】
そこで本発明は、上記従来の課題を解決するワラ体の裁断装置を提供することを目的とする。
【０００５】
【課題を解決するための手段】
本発明は、ワラをらせん状に束ねて結束したワラ体の裁断装置であって、ワラ体を搬送するコンベアと、コンベアにより搬送されるワラ体を半径方向に裁断して複数個に分割する複数個のカッターとを備えた。
【０００６】
また望ましくは、前記コンベアにより搬送されるワラ体が通過するトンネル部があり、このトンネル部に前記複数個のカッターを設けた。
【０００７】
本発明は、カッターによりワラ体を牛が食べやすい長さに裁断する。そして好ましくは、裁断されたワラ体を既存の結束装置によりトラックなどの運搬車に密に積載しやすい四角柱形などに結束し直し、酪農農家へ運搬する。ワラ体は、牛が食べやすい長さに裁断されているので、酪農農家はそのまま牛の飼料に供することができる。
【０００８】
【発明の実施の形態】
以下、本発明の実施の形態を図面を参照して説明する。図１はワラ体の裁断装置の斜視図、図２はワラ体の裁断装置の正面図、図３はワラ体の裁断装置の平面図、図４は四角柱に結束されたワラ体の斜視図である。
【０００９】
図１〜図３において、１は金属板から成る外体であり、断面略半円弧状の前部１ａと円筒形のトンネル部としての後部１ｂから成っている。外体１の底部に沿うようにコンベア２が配設されている。コンベア２としては、チェンコンベア、ローラコンベア、ベルトコンベアなどが適用できる。また好ましくは、コンベア２にはワラ体（後述）の係止爪６を突設する。Ｍ１はコンベア２の駆動用モータである。
【００１０】
３、４、５はカッターとしての回転刃であり、１２０°の等間隔で３個設けられている。回転刃３、４、５はモータＭ２、Ｍ３、Ｍ４により駆動される。回転刃３、４、５の略半部は、トンネル部１ｂの内部に位置している。モータＭ１〜Ｍ４などの駆動系や伝動系の設計は自由であって、例えば１個のモータを３個の回転刃３、４、５の共用モータとしてもよい。
【００１１】
１０はワラ体である。ワラ体１０は、田圃などにおいて、ワラをらせん状（図１の点線参照）に巻回して束ね、縄などのひも状体１１により円柱形に結束されている。ワラ体１０の寸法は任意であるが、一般に、直径は５０ｃｍ程度、長さは６０ｃｍ程度である。
【００１２】
このワラ体の裁断装置は上記のような構成より成り、次に作業方法を説明する。作業者がワラ体１０を前部１ａのコンベア２上に載せると（図１矢印Ａ）、ワラ体１０はトンネル部１ｂへ向って搬送される（図３矢印Ｂ）。ワラ体１０は、トンネル部１ｂ内を通過する際に、モータＭ２〜Ｍ４に駆動されて回転する回転刃３、４、５により半径方向に裁断して３分割され、トンネル部１ｂから搬出される。図１において、１０ａ、１０ｂ、１０ｃは等分に３分割されたワラ体を示している。回転刃３〜５をトンネル部１ｂに設け、トンネル部１ｂ内でワラ体１０を裁断することにより、裁断されたワラ片が周辺に飛散するのを防止する。
【００１３】
このようにして裁断されたワラ体はバラバラのワラになるが、上記のように３分割したことにより、ワラは牛の飼料に適した長さになっている。そこでこのように裁断されてバラバラになったワラを、図４に示すようにひも状体１１により四角柱形のワラ体１２に結束する。このような四角柱形の結束は、既存の結束機により行うことができる。
【００１４】
ワラ体１２はトラックなどの運搬車により酪農農家へ運搬されるが、ワラ体１２は四角柱形であるので、運搬車に密に積載することができる。ワラ体１２は、上記のように牛の飼料に適した長さに裁断されているので、酪農農家はこれをバラして牛の飼料として供することができる。なお本実施の形態では、ワラ体１０を３個の回転刃により３分割しているが、要は牛の飼料に供しやすい長さに裁断すればよいものであり、したがってカッター（回転刃）の個数（すなわち分割個数）は任意に決定できるものであり、例えば４個のカッターにより十字形に裁断してもよく、要はワラをらせん状に束ねて結束したワラ体を半径方向に裁断して複数個に分割すればよい。
【００１５】
【発明の効果】
請求項１の本発明によれば、ワラ体は牛が食べやすい長さに裁断されるので、酪農農家はそのまま牛の飼料に供することができる。また裁断されたワラ体を既存の結束装置により、トラックなどの運搬車に密に積載しやすい四角柱形に結束することにより、運搬効率を改善できる。
また請求項２の本発明によれば、カッターをトンネル部に設け、トンネル部内でワラ体を裁断することにより、裁断されたワラ片が周辺に飛散するのを防止できる。
【図面の簡単な説明】
【図１】ワラ体の裁断装置の斜視図
【図２】ワラ体の裁断装置の正面図
【図３】ワラ体の裁断装置の平面図
【図４】四角柱に結束されたワラ体の斜視図
【符号の説明】
１  外体
１ａ  前部
１ｂ  トンネル部（後部）
２  コンベア
３、４、５  回転刃（カッター）
Ｍ２、Ｍ３、Ｍ４  モータ
１０  ワラ体
【図１】
2004154020.tif 000003
【図２】
2004154020.tif 000004
【図３】
2004154020.tif 000005
【図４】
2004154020.tif 000006
(57)【要約】【課題】冷菓にバニラ香料として添加した香味を、本来の香味や風味を損なうことなく、簡便でかつ安価に、バニラ風味を補強、改善すること。【解決手段】バニラ香料を添加した冷菓に、麦茶またはその濃縮物を添加し、麦茶として、冷菓の０．５〜１０．０重量％、好ましくは３．０〜５．０重量％配合することによって、バニラの香味や風味を補強、改善することができる。【選択図】なし【特許請求の範囲】
【請求項１】
バニラ香料と共に、麦茶またはその濃縮物を、麦茶として、冷菓の０．５〜１０．０重量％、好ましくは３．０〜５．０重量％配合することを特徴とする冷菓。
【発明の詳細な説明】
【０００１】
【産業上の利用分野】
本発明は冷菓でバニラの香味を持つ食品に関する。
【０００２】
【従来の技術】
従来、バニラの香味を持つ冷菓においては、その嗜好性を高めるために様々な種類のバニラ香料が用いられ、欠かせないものになっている。
【０００３】
一般的に香料の風味、香味を補強、改善させる場合は、▲１▼風味の異なる香料を２種類、または数種類を併用し、風味の幅を出す、▲２▼香料の力価あげ、風味を強くする、▲３▼ソース、ペースト原料などで底味をつける、などがあげられるが、コストが高くなる、クセが出る、などの弊害を伴う恐れがある。また、商品の多様化に伴い、似たようなバニラ風味を持つ商品が多くなり、目新しさがなくなってきている。
【０００４】
その他、嗜好性の多様化に伴い、飲食物の香味を増強させる方法が提案されている。
【０００５】
例えば、飲食品のフレーバー増強剤及びフレーバー増強法（特開２００２−１８６４５０）、フレーバー増強剤（特開２００１−２５８５０１）、香味増強・改善剤及びその利用（特開平１１−１４６７６６）などが知られている。特に、香味改善剤および香味が改善された飲食物（特開平８−１５４６１９）では、バニラの風味の増強、補強方法について提案している。しかし、これらの方法は、操作手順が複雑で、コストもかかるところが難点であった。
【０００６】
【発明が解決しようとする課題】
本発明は、上記問題点の解決を意図し、バニラの風味を簡便で安価に補強、改善することを目的とする。
【０００７】
【課題を解決するための手段】
本発明において、麦茶またはその濃縮物を、バニラ香料を添加した冷菓に、麦茶として０．５〜１０．０重量％、好ましくは３．０〜５．０重量％を配合することによって、バニラ風味を補強、改善することができた。
【０００８】
本発明でいう麦茶の濃度とは、麦茶５０ｇ／湯１５００ｍｌを沸騰後５分間放置して浸出したものを１倍として扱う。
【０００９】
本発明において、麦茶の濃縮物を使用する場合は、その濃縮還元比率分に応じた重量配合比とする。
【００１０】
本発明を以下の実施例により具体的に説明する。
【００１１】
【実施例】
実施例１
ベースアイスクリームミックス（江崎グリコ社製、表１）に、バニラフレーバーを０．２重量％、市販の麦茶パックから抽出した麦茶を、麦茶として３．０重量％、エージング添加し、フリージングした。比較品として、麦茶エキスを添加しないものを用意し、パネラー１０名で評価した（表２）。これによると本発明品は香ばしさ、コク味、後口のすっきりさ、バニラ風味および総合的なおいしさの点で比較品を上回った。すなわち、本発明品は麦茶の効果により、バニラの風味が補強されたといえる。なお、表１の配合表で１００重量％に満たない部分は水にて補った。
【表１】
2004154015.tif 000002
【表２】
2004154015.tif 000003
【００１２】
実施例２
ベースアイスクリームミックス（江崎グリコ社製、表３）に、バニラフレーバーを０．２重量％、麦茶エキスパウダー（上記実施例１で作成した麦茶をフリーズドライしたもの）を、麦茶として５重量％、エージング添加し、フリージングした。比較品として、麦茶エキスパウダーを添加していないものを用意し、パネラー１０名で評価した（表４）。これによると本発明品は香ばしさ、コク味、後口のすっきりさ、バニラ風味および総合的なおいしさの点で比較品を上回った。すなわち、本発明品は麦茶の効果により、バニラの風味が補強されたといえる。なお、表３の配合表で１００重量％に満たない部分は水にて補った。
【表３】
2004154015.tif 000004
【表４】
2004154015.tif 000005
【００１３】
実施例３
ベースアイスクリームミックス（江崎グリコ社製、表１）に、バニラフレーバーを０．２重量％、市販の麦茶パックから抽出した麦茶を、麦茶として０．５重量％、エージング添加し、フリージングした。比較品として、麦茶エキスを添加しないものを用意し、パネラー１０名で評価した（表５）。これによると麦茶エキス添加量が少ない（０．５重量％未満）場合は、比較品と比べてわずかではあるが効果が見られた。
【表５】
2004154015.tif 000006
【００１４】
比較例１
ベースアイスクリームミックス（江崎グリコ社製、表１）に、バニラフレーバーを０．２重量％、麦茶エキスパウダー（上記実施例１で作成した麦茶をフリーズドライしたもの）を、麦茶として１２．０  重量％、エージング添加し、フリージングした。比較品として、麦茶エキスパウダーを添加していないものを用意し、パネラー１０名で評価した（表６）。これによると麦茶エキス添加量が多い（１０．０重量％以上）場合、本発明品は、香ばしさ、コク味の点で比較品よりも高い評価が得られたものの、その他の項目では比較品と同等で、総合的に優れた効果が得られなかった。
【表６】
2004154015.tif 000007
【００１５】
【発明の効果】
本発明を利用した冷菓は、バニラの香味や風味を補強、改善することができ、特徴のあるバニラ風味を簡便かつ安価に得ることができる。これらの効果が得られるのに加えて、冷菓にコク味を付与することができ、更に、クセが無く、後味をさっぱりさせることができる。更に、これらの効果は麦茶、またはその濃縮物によるものなので、食品として安心感がある。
(57)【要約】【課題】この発明はショット後のティーを立設場所に残置させ、しかも土中に埋込むティー高さの調整を任意に行うことができ、その上ティーの再利用を可能にしたアジャスタティーに関する。【解決手段】埋込部と表出部とをピンを介して結合し、埋込部に対して表出部を傾動させるように形成し、埋込部にら条を形成すると共に、この埋込部にアジャスタティー部材を装着することで立設高さを調整するように形成したものである。【選択図】        図１
2004154230.tif 000002
【特許請求の範囲】
【請求項１】
埋込部と表出部とで形成されたゴルフ用アジャスタティーにおいて埋込部に対して表出部が傾動可能に形成したことを特徴とするゴルフ用アジャスタティー。
【請求項２】
請求項１記載の埋込部にら条を形成したことを特徴とするゴルフ用アジャスタティー。
【請求項３】
請求項２に記載した埋込部のら条に装着するためのドーナッツ型のアジャスター部材。
【発明の詳細な説明】
【０００１】
【発明の属する技術分野】
この発明はゴルフ用アジャスタティーに関し、具体的にはティグランド上に立設するティーの高さ調整とティーに載置したボールをヒットとした後のティーをティーの立設位置にそのまま残置させるようにしたティーに係る。
【０００２】
【従来の技術】
従来のティーを図７により説明すれば次のとおりである。
同図において符号１０′で示すティーは土中への埋込部１１′と表出部１２′およびボール載置部１３′で形成されており、土中への埋込調整部１４′が埋込部１１′，表出部１２′との連接部に段部として形成されている。
【０００３】
【発明が解決しようとする課題】
この発明は、ティーの高さの調整を自由に行うことができ、しかもボールをヒットした後でもティー自身を立設位置に残置させることができ、その上ティー自身を繰りかえし使用可能にしたゴルフ用アジャスタティーを提供しようとするものである。
【０００４】
【課題を解決するための手段】
この発明はティーの埋込部を螺旋条に形成し、しかもこの螺旋条にドーナッツ状の円環を緩着し、表出部を折曲可能な折曲構造として形成することで高さ調整とボールのヒット後のティー残置とを可能にしたものである。
【０００５】
【実施例】
この発明の実施例を添付図面を参照にして説明すれば次のとおりである。
図１はこの発明に係るアジャスタティーを符号１０として示したもので、このティー１０は土中への埋込部１と表出部２とをピン３で接合して棒状に形成したものとして構成されている。
図２および図３は図１に示したアジャスタティーの分解図を示したもので、埋込部１にはほぼ全長にわたってら条１１が形成されており、上部には平板１２とこの平板にピン孔１３とが形成されている。
【０００６】
また表出部２の頭部にはゴルフボールの載置用のくぼみ穴２１が形成されており、下部には凹溝２２と凹溝の両壁にピン孔２３が形成されている。
図４にこの発明に係るアジャスタティーに適用するためのアジャスタティー部材が符号４として示されており、この部材４は合成樹脂材の弾性体として形成されており、全体形状はドーナッツ型で中空部４１を埋込部のら条に装着して立設高さを調整する機能と付与されている。
図５はアジャスタティー１０に対してアジャスター部材４を装着した場合を示したもので、（ａ），（ｂ）および（ｃ）図は立設高さが大→小に変化させる場合のアジャスター部材の装着例を示したものである。
【０００７】
【発明の効果】
この発明に係るゴルフ用アジャスタティーの作用効果を図６に参照にして説明すれば次のとおりである。
同図で明らかなように、アジャスタティー１０を土中Ｓに立設する場合、その高さ調整はら条１１に装着したアジャスタティー部材４の装着高さによって任意に行えるものである。
又、ゴルフボールをショットした場合、表出部２がピン３を支点として前倒するだけでティー１０そのもは立設状態を維持するものであり、立設場所から飛散することがない。
しかもこの発明に係るアジャスタティーは表出部のピンを介して表出部２を元位置に復元させることで再利用を行うことができる。
その上、この発明に係るアジャスタティーは埋込部に形成したら条によって土中への食込を容易に行えるものである。
この発明に係るアジャスタティーは上記実施例に限定されるものでなく、各部材の形状大きさおよび形成材料は任意に設計できるものであり、特にら条および埋込部と表出部の連結構造は公知の技術を採用することができるものである。
【図面の簡単な説明】
【図１】アジャスタティーの説明図である。
【図２】アジャスタティーの分解図である。
【図３】アジャスタティーの分解図である。
【図４】アジャスタティー部材の説明図である。
【図５】アジャスタティー部材の使用例の説明図である。
【図６】アジャスタティーの作用説明図である。
【図７】従来のゴルフ用ティーの説明図である。
【符号の説明】
１  埋込部
２  表出部
３  ピン
４  アジャスタティー部材
１１  ら条
１２  平板
１３  ピン孔
２１  くぼみ穴
２２  凹溝
２３  ピン孔
１０  アジャスタティー
Ｓ  土
【図１】
2004154230.tif 000003
【図２】
2004154230.tif 000004
【図３】
2004154230.tif 000005
【図４】
2004154230.tif 000006
【図５】
2004154230.tif 000007
【図６】
2004154230.tif 000008
【図７】
2004154230.tif 000009